(57)【要約】  ハウジング（１）内の案内部（４）に雄端子が挿入されるコネクタ（１０）において、案内部（４）に露出し、雄端子の挿入時に該雄端子の端子部と接触する接続部（２ａ，２ｂ）と、案内部（４）に設けられて、雄端子の非挿入時に接続部（２ａ，２ｂ）を被覆するカバー部材（６）と、雄端子の非挿入時において、カバー部材（６）を案内部（４）の開口部（５）側に付勢するスプリング（７）と、を有し、カバー部材（６）は、雄端子の挿入により案内部（４）において開口部（５）と反対側に移動し、接続部（２ａ，２ｂ）を被覆しない位置に変位する。
2015141597.tif 000002
【特許請求の範囲】
【請求項１】
ハウジング内の案内部に雄端子が挿入されるコネクタにおいて、  前記案内部に露出し、前記雄端子の挿入時に該雄端子の端子部と接触する接続部と、  前記案内部に設けられて、前記雄端子の非挿入時に前記接続部を被覆するカバー部材と、  前記雄端子の非挿入時において、前記カバー部材を前記案内部の開口部側に付勢する弾性部材と、を有し、  前記カバー部材は、前記雄端子の挿入により前記案内部において前記開口部と反対側に移動し、前記接続部を被覆しない位置に変位することを特徴とするコネクタ。
【請求項２】
前記カバー部材は、前記案内部に嵌合する形状を有することを特徴とする請求項１に記載のコネクタ。
【請求項３】
前記カバー部材は、前記案内部の内壁との間隙を封止するシール部材を有し、  該シール部材は、前記雄端子の非挿入時において、前記接続部よりも前記開口部側の位置で、前記カバー部材と前記案内部の内壁とを封止する位置に設けられることを特徴とする請求項１または２に記載のコネクタ。
【請求項４】
前記雄端子の非挿入時において、前記カバー部材は、前記ハウジングの外装面と面一の位置にあることを特徴とする請求項１から３までのいずれかに記載のコネクタ。
【請求項５】
前記雄端子の挿入時において、前記弾性部材が前記カバー部材を前記開口部側に付勢することを防止する付勢防止手段を備えることを特徴とする請求項１から４までのいずれかに記載のコネクタ。
【請求項６】
前記付勢防止手段は、前記カバー部材に設けられたピン部材と、前記ハウジングに設けられたレバー部材と、を有し、  前記雄端子の挿入時において、前記ピン部材および前記レバー部材が前記案内部へ突出するとともに、  前記ピン部材および前記レバー部材は、前記弾性部材が前記カバー部材を前記開口部側に付勢する方向に直交する面で互いに当接することを特徴とする請求項５に記載のコネクタ。
【請求項７】
前記ハウジングは、前記接続部よりも前記開口部側に設けられ、前記案内部に挿入される前記雄端子との間隙を封止する第２シール部材を有することを特徴とする請求項１から６の何れか一項に記載のコネクタ。
【請求項８】
前記ハウジングは、前記案内部において前記開口部に向かって突出する突出部を有し、  前記接続部は、前記突出部の表面に設けられ、  前記カバー部材は、前記雄端子の非挿入時において前記接続部よりも前記開口部側に設けられ、前記突出部との間隙を封止する第３シール部材と、外周面に設けられて前記案内部の内壁との間隙を封止する第４シール部材と、を有することを特徴とする請求項１から７の何れか一項に記載のコネクタ。
【請求項９】
請求項１から８までのいずれかに記載のコネクタを備えることを特徴とする電子機器。
【発明の詳細な説明】
【技術分野】
【０００１】  本発明は、コネクタおよび該コネクタを備える電子機器に関する。
【背景技術】
【０００２】  デジタルカメラなどの撮像装置、携帯電話、スマートフォン、タブレットなどの携帯電子端末、プリンタなどの画像形成装置、プロジェクタなどの画像投影装置、およびパーソナルコンピュータなどの情報処理装置などの電子機器には、外部機器と接続し、外部機器との間で信号の授受するための端子を備えたコネクタ（ジャック、雌端子）や、外部電源から電源を供給するための端子を備えたコネクタが設けられている。【０００３】  電子機器には、例えば、６．３ｍｍ径の標準フォーンプラグ、３．５ｍｍ径のミニプラグ、２．５ｍｍ径のマイクロプラグや、ＵＳＢ（Universal  Serial  Bus）プラグなどの各プラグを接続するために、各プラグに対応するコネクタが設けられている。【０００４】  このような電子機器に設けられるコネクタでは、接続相手のコネクタ（プラグ、雄端子）の端子部が、電子機器に設けられたコネクタ内の導体配線が露出された部分（接続部という）に接触して接続されるようになっている。【０００５】  ここで、電子機器のコネクタは防水構造を有することが好ましい。例えば、特許文献１には、外部と電気的に接続するための端子と、この端子の不使用時に端子部を塞いで保護するための端子蓋を具備するカメラであって、上記端子蓋は、カメラに対して着脱可能に構成されているカメラが開示されている。【０００６】  また、例えば、特許文献２には、携帯電話機やスマートフォン等の電子機器に搭載されるジャックに関し、特にプラグ挿入口からプラグ挿入孔に入った水が他の箇所から電子機器内に入るのを防ぐジャックの防水構造が開示されている。【０００７】  ここで、電子機器のコネクタ内において、特に、導体配線が露出した接合部は、外部から水などの液体が進入してしまうと、ショート等が生じるおそれがあるため、防水構造を有することが望まれる。
【先行技術文献】
【特許文献】
【０００８】
【特許文献１】特開２００７−３３４２５６号公報
【特許文献２】特開２０１３−６９５７０号公報
【発明の概要】
【発明が解決しようとする課題】
【０００９】  本発明は、コネクタ内部の接続部を防水することができるコネクタを提供することを目的とする。
【課題を解決するための手段】
【００１０】  かかる目的を達成するため、本発明に係るコネクタは、ハウジング内の案内部に雄端子が挿入されるコネクタにおいて、前記案内部に露出し、前記雄端子の挿入時に該雄端子の端子部と接触する接続部と、前記案内部に設けられて、前記雄端子の非挿入時に前記接続部を被覆するカバー部材と、前記雄端子の非挿入時において、前記カバー部材を前記案内部の開口部側に付勢する弾性部材と、を有し、前記カバー部材は、前記雄端子の挿入により前記案内部において前記開口部と反対側に移動し、前記接続部を被覆しない位置に変位するものである。
【発明の効果】
【００１１】  本発明によれば、コネクタ内部の接続部を防水して、接続部のショートを防止することができる。
【図面の簡単な説明】
【００１２】
【図１】コネクタの基本構成を示すものであって、コネクタ内において端子を収容する案内部に雄端子を挿入する前の状態を示す断面図である。
【図２】第１の実施形態に係るコネクタの案内部に雄端子を挿入する前の状態を示す断面図である。
【図３】図２に示すコネクタを開口部側から見た場合の模式図である。
【図４】第１の実施形態に係るコネクタの案内部に雄端子を挿入する途中の状態を示す断面図である。
【図５】第１の実施形態に係るコネクタの案内部に雄端子が挿入された時の状態を示す断面図である。
【図６Ａ】第２の実施形態に係るコネクタの案内部に雄端子を挿入する様子を示す断面図であって、挿入前を示す図である。
【図６Ｂ】第２の実施形態に係るコネクタの案内部に雄端子を挿入する様子を示す断面図であって、挿入途中を示す図である。
【図６Ｃ】第２の実施形態に係るコネクタの案内部に雄端子を挿入する様子を示す断面図であって、挿入時を示す図である。
【図７】第２の実施形態に係るコネクタの案内部に雄端子の挿入された後、雄端子が抜き出された時の状態を示す断面図である。
【図８】第３の実施形態に係るコネクタを例示する断面図である。
【図９Ａ】第４の実施形態に係るコネクタを例示する断面図であって、挿入前を示す図である。
【図９Ｂ】第４の実施形態に係るコネクタを例示する断面図であって、挿入時を示す図である。
【発明を実施するための形態】
【００１３】  以下、本発明に係る構成を図１から図９Ｂに示す実施の形態に基づいて詳細に説明する。［第１の実施形態］  本実施形態に係るコネクタは、ハウジング（ハウジング１）内の案内部（案内部４）に雄端子（雄端子２０）が挿入されるコネクタ（コネクタ１０）において、案内部に露出し、雄端子の挿入時に該雄端子の端子部（端子部２１）と接触する接続部（接続部２ａ，２ｂ）と、案内部に設けられて、雄端子の非挿入時に接続部を被覆するカバー部材（カバー部材６）と、雄端子の非挿入時において、カバー部材を案内部の開口部（開口部５）側に付勢する弾性部材（スプリング７）と、を有し、カバー部材は、雄端子の挿入により案内部において開口部と反対側に移動し、接続部を被覆しない位置に変位するものである。なお、括弧内は実施形態での符号、適用例を示す。
【００１４】  本実施形態では、コネクタ１０として、ミニプラグを接続するミニジャックを例として説明する。先ず、図１を参照して、雌端子としてのコネクタ１０と、雄端子（プラグ）２０の基本構成について説明する。
【００１５】  図１は、本実施形態に係るコネクタの基本構成を示すものであって、コネクタ１０内において端子を収容する案内部４に雄端子２０を挿入する前の状態を示す断面図である。
【００１６】  図１に示すコネクタ１０は、外装部材であるハウジング１に雄端子２０が挿入されるための案内部４が形成されており、案内部４には、電子機器に接続される導体配線３（３ａ，３ｂ）が露出された部分である接続部２（２ａ，２ｂ）が設けられている。
【００１７】  コネクタ１０に接続される雄端子２０の端子部２１は、案内部４の開口部５から案内部４に挿入されて、端子部２１はコネクタ１０内の接続部２と接触して、導通するようになっている。
【００１８】  図１に示すコネクタ１０では、接続部２が防水されていないため、雄端子２０が挿入されていない時に案内部４に液体が進入することで、接続部２がショートしてしまい、コネクタ１０およびこれを備える電子機器の故障につながってしまう。
【００１９】  そこで、本実施形態に係るコネクタ１０は、案内部４にスライド可能に設けられたカバー部材６を備えるものである。図２は、本実施形態に係るコネクタ１０であって、コネクタ１０内において端子を収容する案内部４に雄端子２０を挿入する前の状態を示す断面図である。また、図３は、図２に示すコネクタ１０を開口部５側から見た場合の模式図である。
【００２０】  図２に示すように、カバー部材６は、案内部４において、少なくとも接続部２ａ，２ｂを被覆する位置に設けられる。また、カバー部材６は、案内部４の開口部５と反対側の面において、弾性部材であるスプリング７に支持されるとともに、スプリング７により開口部５側に付勢されている。なお、弾性部材は、図示されるスプリングに限られるものではなく、カバー部材６を開口部５側に付勢する部材であれば良い。
【００２１】  また、雄端子２０の非挿入時の状態においては、図２に示すように、カバー部材６は、ハウジング１の外装面と面一の位置にあることが好ましいが、カバー部材６は外装面よりも若干内側の位置にあっても良いし、一部が外装面から突出していても良い。
【００２２】  また、図３に示すように、カバー部材６は、その断面形状がコネクタ１０の案内部４の断面形状と同形状であり、案内部４に嵌合されることで案内部４の内壁面とカバー部材６との間のクリアランスが生じないか、僅かのクリアランスを有することが好ましい。
【００２３】  このように本実施形態に係るコネクタ１０は、雄端子２０が挿入されていない状態では、カバー部材６が、コネクタ１０の開口部５を塞ぐとともに、案内部４に露出した接続部２を被覆しているため、コネクタ１０の案内部４への液体の進入を防ぐとともに、接続部２のショートを防止することができる。
【００２４】  図４は、コネクタ１０の案内部４に雄端子２０を挿入する途中の状態を示す断面図である。また、図５は、コネクタ１０の案内部４に雄端子２０が挿入された挿入時の状態を示す断面図である。
【００２５】  図２に示す状態から、雄端子２０の端子部２１がコネクタ１０内の案内部４に挿入されると、図４に示すように、カバー部材６が端子部２１に押され、スプリング７が縮むことで、カバー部材６は案内部４の奥側にスライドして移動する。
【００２６】  そして、雄端子２０の端子部２１の挿入が完了すると、図５に示すように、カバー部材６はさらに奥側にスライドした状態となり、端子部２１と接続部２ａ，２ｂとは接触した状態となる。ここで、スプリング７の弾性力は、雄端子２０の挿入時において、雄端子２０を押し戻す力未満に設定されている。
【００２７】  そして、雄端子２０が外されると、スプリング７がカバー部材６を開口部５側へ押し戻し、図２に示した状態に戻る。すなわち、スプリング７の弾性力は、雄端子２０の挿入時において、雄端子２０を押し戻す力未満であって、雄端子２０の非挿入時において、カバー部材６を押し戻す力以上に設定されている。
【００２８】  また、図２、図４、図５に示すように、カバー部材６は、カバー部材６と案内部４の内壁とを封止するシール部材８（パッキン）を有することが好ましい。このシール部材８は、雄端子２０の非挿入時において、接続部２よりも開口部５側の位置で、カバー部材６と案内部４の内壁を封止する位置に設けられる。
【００２９】  以上説明した本実施形態に係るコネクタ１０によれば、スライド式のカバー部材６が雄端子２０の非挿入時にコネクタ１０内部の接続部２を被覆するため、接続部２のショートを防止することができる。また、カバー部材６が案内部４に嵌合する形状であることで、案内部４への液体の進入を防止することができる。さらに、カバー部材６にシール部材８を設けることで、接続部２への液体の進入をさらに効果的に防止して、防水機能を高めることが可能となる。
【００３０】  また、コネクタ１０は、ハウジング１の内部にスライド式のカバー部材６を備える構成であり、カバーを外から付けるタイプではないため、カバーの取り外し、元に戻すといった手間をかけることなく、雄端子との接続を実現することができる。また、カバーをつけ忘れることといった事態が生じないため、確実に内部への液体の進入を防止することができる。
【００３１】  また、本実施形態に係るコネクタを備えた電子機器とすることで、コネクタ部分の防水機能を有する電子機器とすることができる。適用可能な電子機器は、デジタルカメラなどの撮像装置、携帯電話、スマートフォン、タブレットなどの携帯電子端末、プリンタなどの画像形成装置、プロジェクタなどの画像投影装置、およびパーソナルコンピュータなどの情報処理装置など、特に限られるものではない。特に、ユーザが携帯し、水に濡れる可能性が高いデジタルカメラや携帯電話などの携帯型の電子機器に適用することが好適である。［第２の実施形態］  以下、本発明に係るコネクタの他の実施形態について説明する。なお、上記実施形態と同様の点についての説明は適宜省略する。
【００３２】  上記第１の実施形態では、スプリング７の弾性力は、雄端子２０のコネクタ１０への挿入時において、雄端子２０を押し戻す力未満に設定されている例について説明したが、コネクタ１０は、雄端子２０の端子部２１の挿入完了時において、スプリング７がカバー部材６および端子部２１を押し戻すことを防止する機構（付勢防止手段）を備えることが好ましい。
【００３３】  本実施形態では、付勢防止手段は、カバー部材６に設けられたピン部材（ロックピン３５）と、ハウジング１に設けられたレバー部材（ロックレバー３０）と、を有し、雄端子２０の挿入時において、ピン部材およびレバー部材が案内部４へ突出するとともに、ピン部材およびレバー部材は、スプリング７がカバー部材６および端子部２１を開口部５側に付勢する方向に直交する面で互いに当接するものである。
【００３４】  図６Ａ、図６Ｂ、および図７を参照して付勢防止手段を備えるコネクタ１０について説明する。図６Ａは、コネクタ１０の案内部４に雄端子２０の端子部２１を挿入する直前の状態を示す断面図である。
【００３５】  図６Ａに示すように、コネクタ１０のハウジング１の下部には、支点３３にて揺動可能に支持されたコの字状のロックレバー３０が設けられている。ロックレバー３０の開口部５側の凸部３１は、スプリング３４により付勢されており、雄端子２０が挿入されない状態において、カバー部材６に当接している。
【００３６】  ロックレバー３０の案内部４の奥側の凸部３２は、凸量が凸部３１よりも大きく設けられており、雄端子２０が挿入されない状態において、その先端が案内部４に突出した状態となっている。なお、ハウジング１には、図示されるように、ロックレバー３０の揺動時に凸部３１，３２が案内部４へ突出可能なように開口部が設けられている。
【００３７】  また、カバー部材６のスプリング７側には、スプリング３６により付勢されたロックピン３５が設けられている。また、カバー部材６は、凸部３２の先端部分を案内するための切り欠き部３７を有している。
【００３８】  図６Ｂは、コネクタ１０の案内部４に雄端子２０の端子部２１を挿入する途中の状態を示す断面図である。また、図６Ｃは、コネクタ１０の案内部４に雄端子２０の端子部２１が挿入された挿入時の状態を示す断面図である。
【００３９】  図６Ｂに示すように、雄端子２０の端子部２１によりカバー部材６が押し込まれると、凸部３２は、カバー部材６に設けられた切り欠き部３７に案内されることとなる。そして、カバー部材６に設けられたロックピン３５は、スプリング３６が縮んで、ロックレバー３０の凸部３２に乗り上げた状態となる。なお、端子部２１の挿入時にロックピン３５が凸部３２に乗り上げやすいように、凸部３２の開口部側はＲ形状を有していることが好ましい。また、凸部３２の奥側の面は、平面形状を有している。
【００４０】  次いで、雄端子２０の端子部２１によりさらにカバー部材６が押し込まれて、ロックピン３５の対向位置に凸部３２がない状態となると、ロックピン３５は、スプリング３６により付勢されて、図６Ｃに示すように、凸部３２よりも奥側において再び、切り欠き部３７に突出した状態となる。
【００４１】  この状態において、ロックピン３５の開口部５側の面と、凸部３２の奥側の面とが係合可能な状態となる。そして、スプリング７がカバー部材６を押し返す力を、ロックピン３５の開口部５側の面と凸部３２の奥側の面とが当接することで抑えることができる。よって、カバー部材６が開口部５側に押し戻されるのを防止することができ、雄端子２０の端子部２１が挿入後に押し戻されてしまうことを防止することができる。
【００４２】  図７は、雄端子２０の挿入完了後、雄端子２０の端子部２１がコネクタ１０から抜き出された時の状態を示す断面図である。雄端子２０の端子部２１がコネクタ１０から抜かれると、ロックレバー３０の凸部３１の対向位置には、カバー部材６および端子部２１のいずれもない状態となるため、ロックレバー３０は、スプリング３４の付勢力により、凸部３１が案内部４へ突出するように揺動する。
【００４３】  これにより、ロックレバー３０の凸部３２が下がるため、ロックピン３５と凸部３２の係合状態が解除され、カバー部材６は、スプリング７の付勢力により、図６Ａに示した初期位置に押し戻されるものである。
【００４４】  以上説明した付勢防止手段を備えたコネクタ１０とすることで、雄端子２０が意図せずに抜けてしまうことを防止することが可能となる。また、スプリング７の弾性力が大きくてもよいため、スプリング７の調整、選択が容易となる。なお、図６Ａ〜６Ｃおよび図７に示した付勢防止手段は、一例であって、雄端子２０の挿入完了時にカバー部材６が雄端子２０を押し戻すことを防止する構成であれば、上記の例に限られるものではない。［第３の実施形態］  以下、本発明に係るコネクタの他の実施形態について説明する。なお、上記実施形態と同様の点についての説明は適宜省略する。
【００４５】  本実施形態に係るコネクタ１０には、ハウジング１の案内部４の内壁面に、案内部４に挿入された雄端子２０の端子部２１と案内部４の内壁面との間隙を封止するシール部材９が設けられている。シール部材９は、雄端子２０のコネクタ１０への挿入時において、雄端子２０の端子部２１とコネクタ１０の案内部４の内壁面との間への水などの進入を防ぎ、接続部２のショートなどを防止する。
【００４６】  図８は、第３の実施形態に係るコネクタ１０を例示する断面図である。
【００４７】  図８に示すように、コネクタ１０は、ハウジング１の案内部４の内壁面であって接続部２ａ，２ｂよりも開口部５側に、シール部材９が設けられている。シール部材９は、雄端子２０がコネクタ１０に挿入された状態で、案内部４の内壁面と雄端子２０の外周面との間隙を封止する。
【００４８】  シール部材９によって、雄端子２０がコネクタ１０の案内部４に挿入された状態での防水性が確保され、挿入時に液体などがコネクタ１０内に進入することによって生じるショートなどの不具合の発生が防止される。
【００４９】  以上説明した本実施形態に係るコネクタ１０によれば、シール部材９が雄端子２０の端子部２１と案内部４の内壁面との間隙を封止することで、雄端子２０の挿入時におけるコネクタ１０の防水機能が向上する。
【００５０】  なお、コネクタ１０は、本実施形態において例示したようにカバー部材６のシール部材８及びハウジング１のシール部材９の両方を有する構成であってもよいが、何れか一方が設けられた構成であってもよい。カバー部材６に設けられているシール部材８によって、雄端子２０の非挿入時におけるコネクタ１０の防水性が向上する。また、ハウジング１に設けられているシール部材９によって、雄端子２０の非挿入時だけでなく挿入時におけるコネクタ１０の防水性が向上する。シール部材８，９の両方が設けられることで、コネクタ１０の防水性がより向上し、雄端子２０の挿入時及び非挿入時における液体などの案内部４への進入がより確実に防止される。［第４の実施形態］  以下、本発明に係るコネクタの他の実施形態について説明する。なお、上記実施形態と同様の点についての説明は適宜省略する。
【００５１】  図９Ａは、第４の実施形態に係るコネクタ５０を例示する断面図であって、雄端子６０の挿入前を例示する図である。図９Ｂは、第４の実施形態に係るコネクタ５０を例示する断面図であって、雄端子６０の挿入時を例示する図である。
【００５２】  本実施形態に係るコネクタ５０は、図９Ａと図９Ｂとに示すように、中空の四角筒状のハウジング１と、導体配線３と、カバー部材６と、スプリング７を有する。コネクタ５０には、例えばＵＳＢ（Universal Serial Bus）等の雄端子６０の端子部６１が挿入される。
【００５３】  ハウジング１は、雄端子６０の端子部６１が挿入される案内部４と、案内部４に通じる開口部５と、案内部４の開口部５とは反対側の面から開口部５に向かって突出する平板状の突出部１１を有する。
【００５４】  導体配線３は、コネクタ５０の案内部４において突出部１１に沿って延伸し、雄端子６０の端子部６１に接触する接続部２が突出部１１の表面に位置するように設けられている。
【００５５】  カバー部材６は、案内部４に嵌合する断面形状を有し、突出部１１を環囲又は挟んで突出部１１に沿ってスライドできるように案内部４に設けられている。カバー部材６は、開口部５とは反対側の端部に取り付けられているスプリング７によって、開口部５に向かって付勢されている。カバー部材６は、雄端子６０の非挿入時において、開口部５側の端部が接続部２よりも開口部５側に位置するようにスプリング７によって付勢されている。
【００５６】  カバー部材６には、雄端子６０の非挿入時において、接続部２よりも開口部５側に位置し、突出部１１との間隙を封止するシール部材１２が設けられている。シール部材１２は、カバー部材６の内面とハウジング１の突出部１１の外周面との間隙を封止し、雄端子６０の非挿入時における接続部２への液体などの進入を防止する。
【００５７】  また、カバー部材６の外周面には、カバー部材６の外周面と案内部４の内壁面との間隙を封止するシール部材１３が設けられている。シール部材１３は、カバー部材６の外周面と案内部４の内壁面との間隙から、ハウジング１の内部への液体などの進入を防止する。
【００５８】  図９Ａに示すように、雄端子６０のコネクタ５０への非挿入時において、カバー部材６は、スプリング７に押圧されて開口部５に近付くように変位している。この状態で、カバー部材６の内面とハウジング１の突出部１１の外周面との間隙は、カバー部材６の内面に設けられているシール部材１２によって封止されている。また、カバー部材６の外周面と案内部４の内壁面との間隙は、シール部材１３によって封止されている。このように、シール部材１２，１３によって、接続部２への液体などの進入が防止されている。
【００５９】  図９Ｂに示すように、雄端子６０のコネクタ５０への挿入時において、カバー部材６は、雄端子６０の端子部６１に押圧され、スプリング７が収縮して開口部５とは反対方向に変位する。カバー部材６が開口部５とは反対方向に押圧されると、カバー部材６から接続部２が案内部４に露出し、接続部２と雄端子６０の端子部６１とが接続される。
【００６０】  以上説明した本実施形態に係るコネクタ５０によれば、雄端子６０のコネクタ５０への非挿入時において、シール部材１２がカバー部材６の内面と突出部１１の外周面との間隙を封止する。また、シール部材１３がカバー部材６の外周面とハウジング１の内周面との間隙を封止する。このような構成により、接続部２への液体などの進入が防止されて防水機能が向上する。
【００６１】  なお、コネクタ５０には、雄端子６０の挿入時において、ハウジング１の案内部４の内壁面と雄端子６０の端子部６１との間隙を封止するシール部材が、ハウジング１の案内部４の内壁面に設けられてもよい。このような構成により、コネクタ５０の案内部４への液体の進入がより確実に防止され、コネクタ５０の防水機能がより向上する。
【００６２】  また、例えば第２の実施形態において例示される付勢防止手段が、上記した第３の実施形態に係るコネクタ１０又は第４の実施形態に係るコネクタ５０に設けられてもよい。付勢防止手段によって、コネクタ１０，５０に挿入された雄端子６０の意図しない脱落が防止される。なお、コネクタ１０，５０に設けられる付勢防止手段は、カバー部材６が案内部４に押し込まれた状態でスプリング７を収縮状態に保つことができればよく、第２の実施形態において例示される構成に限られるものではない。
【００６３】  尚、上述の実施形態は本発明の好適な実施の例ではあるがこれに限定されるものではなく、本発明の要旨を逸脱しない範囲において種々変形実施可能である。
【００６４】  例えば、第１から第３の実施形態では、雄端子としてミニプラグ、コネクタとしてミニジャックを例にし、雄端子の外形とコネクタ内の接続部が接触する構成について説明したが、第４の実施形態において例示したように、ＵＳＢプラグ、ＵＳＢコネクタのように、プラグの内側に端子部が設けられている構成であっても本発明は適用可能である。なお、接続する端子の規格は特に限られるものではなく、例えば、ＬＡＮケーブル用コネクタ、ＩＥＥＥ１３９４用コネクタなど他の規格のコネクタにも適用できるのは勿論である。
【００６５】  以上、コネクタを実施例により説明したが、本発明は上記実施例に限定されるものではなく、特許請求の範囲に記載された本発明の要旨の範囲内で種々の変形及び改良が可能である。
【００６６】  本国際出願は２０１４年３月１７日に出願された日本国特許出願２０１４−０５３３２４号及び２０１５年１月１９日に出願された日本国特許出願２０１５−００７４５２号に基づく優先権を主張するものであり、その全内容をここに本国際出願に援用する。
【符号の説明】
【００６７】１  ハウジング２，２ａ，２ｂ  接続部３，３ａ，３ｂ  導体配線４  案内部５  開口部６  カバー部材７  スプリング８，９，１２，１３  シール部材１０，５０  コネクタ１１  突出部２０，６０  雄端子（プラグ）２１，６１  端子部３０  ロックレバー３１  凸部（開口部側）３２  凸部（奥側）３３  支点３４  スプリング３５  ロックピン３６  スプリング３７  切り欠き部
【図１】
2015141597.tif 000003
【図２】
2015141597.tif 000004
【図３】
2015141597.tif 000005
【図４】
2015141597.tif 000006
【図５】
2015141597.tif 000007
【図６Ａ】
2015141597.tif 000008
【図６Ｂ】
2015141597.tif 000009
【図６Ｃ】
2015141597.tif 000010
【図７】
2015141597.tif 000011
【図８】
2015141597.tif 000012
【図９Ａ】
2015141597.tif 000013
【図９Ｂ】
2015141597.tif 000014
【手続補正書】
【提出日】平成27年12月9日(2015.12.9)
【手続補正１】
【補正対象書類名】特許請求の範囲
【補正対象項目名】全文
【補正方法】変更
【補正の内容】
【特許請求の範囲】
【請求項１】
ハウジング内の案内部に雄端子が挿入されるコネクタにおいて、
前記案内部に露出し、前記雄端子の挿入時に該雄端子の端子部と接触する接続部と、
前記案内部に設けられて、前記雄端子の非挿入時に前記接続部と接し被覆するカバー部材と、
前記雄端子の非挿入時において、前記カバー部材を前記案内部の開口部側に付勢する弾性部材と、を有し、
前記カバー部材は、前記雄端子の挿入により前記案内部において前記開口部と反対側に移動し、前記接続部を被覆しない位置に変位することを特徴とするコネクタ。
【請求項２】
前記カバー部材は、前記案内部に嵌合する形状を有することを特徴とする請求項１に記載のコネクタ。
【請求項３】
前記カバー部材は、前記案内部の内壁との間隙を封止するシール部材を有し、
該シール部材は、前記雄端子の非挿入時において、前記接続部よりも前記開口部側の位置で、前記カバー部材と前記案内部の内壁とを封止する位置に設けられることを特徴とする請求項１または２に記載のコネクタ。
【請求項４】
前記雄端子の非挿入時において、前記カバー部材は、前記ハウジングの外装面と面一の位置にあることを特徴とする請求項１から３までのいずれかに記載のコネクタ。
【請求項５】
前記雄端子の挿入時において、前記弾性部材が前記カバー部材を前記開口部側に付勢することを防止する付勢防止手段を備えることを特徴とする請求項１から４までのいずれかに記載のコネクタ。
【請求項６】
前記付勢防止手段は、前記カバー部材に設けられたピン部材と、前記ハウジングに設けられたレバー部材と、を有し、
前記雄端子の挿入時において、前記ピン部材および前記レバー部材が前記案内部へ突出するとともに、
前記ピン部材および前記レバー部材は、前記弾性部材が前記カバー部材を前記開口部側に付勢する方向に直交する面で互いに当接することを特徴とする請求項５に記載のコネクタ。
【請求項７】
前記ハウジングは、前記接続部よりも前記開口部側に設けられ、前記案内部に挿入される前記雄端子との間隙を封止する第２シール部材を有することを特徴とする請求項１から６の何れか一項に記載のコネクタ。
【請求項８】
前記ハウジングは、前記案内部において前記開口部に向かって突出する突出部を有し、
前記接続部は、前記突出部の表面に設けられ、
前記カバー部材は、前記雄端子の非挿入時において前記接続部よりも前記開口部側に設けられ、前記突出部との間隙を封止する第３シール部材と、外周面に設けられて前記案内部の内壁との間隙を封止する第４シール部材と、を有することを特徴とする請求項１から７の何れか一項に記載のコネクタ。
【請求項９】
請求項１から８までのいずれかに記載のコネクタを備えることを特徴とする電子機器。
【請求項１０】
前記カバー部材は、前記案内部の内に配置されていることを特徴とする請求項１に記載のコネクタ。
【請求項１１】
前記カバー部材は、前記案内部の内で、前記雄端子の非挿入時に前記接続部を被覆する位置に設けられていることを特徴とする請求項１に記載のコネクタ。
【請求項１２】
前記カバー部材は、前記案内部の内で、前記雄端子の非挿入時に、前記開口部を塞ぎ、且つ前記接続部を被覆する形状であることを特徴とする請求項１に記載のコネクタ。
【国際調査報告】
2015141597.tif 000015
2015141597.tif 000016
2015141597.tif 000017
2015141597.tif 000018